(57)【要約】【課題】従来よりも信号及び当該信号に対する応答信号を長距離伝送することができる遠隔ユニットを提供する。【解決手段】ローカル装置１は、マウス５又はキーボード６のＵＳＢデバイス信号を増幅するイコライザ１０４を有し、イコライザ１０４で増幅されたＵＳＢデバイス信号をサーバ４に出力する。リモート装置２は、サーバ４からの応答信号をローカル装置２を介して受信し、当該受信された応答信号を増幅するイコライザ２０４を有し、イコライザ２０４で増幅された応答信号をコンソールに出力する。【選択図】図２
2010273145.tif 000002
【特許請求の範囲】
【請求項１】
情報処理装置とコンソールとの間に接続される遠隔ユニットであって、
前記コンソールからの信号を増幅する第１増幅手段を有し、前記第１増幅手段で増幅された信号を前記情報処理装置に出力する第１通信装置と、
前記サーバからの前記信号に対する応答信号を前記第１通信装置を介して受信し、当該受信された応答信号を増幅する第２増幅手段を有し、前記第２増幅手段で増幅された応答信号を前記コンソールに出力する第２通信装置と
を備えることを特徴とする遠隔ユニット。
【請求項２】
前記第２通信装置は、前記コンソールからの信号の立ち上がり及び立ち下がりの速度を遅くするフィルター回路をさらに備えることを特徴とする請求項１に記載の遠隔ユニット。
【発明の詳細な説明】
【技術分野】
【０００１】
本発明は、信号及び当該信号に対する応答信号を長距離伝送する遠隔ユニットに関する。
【背景技術】
【０００２】
従来より、サーバから百メートル程度離れているコンソールでサーバを操作するためにサーバとコンソール（キーボード、マウス、モニタなど）との間に設けられる遠隔ユニットが知られている（例えば、特許文献１参照）。
【０００３】
遠隔ユニットは、ローカル装置とリモート装置で構成されており、ローカル装置とリモート装置との間は、ＬＡＮ（Local Area Network）ケーブルで接続されている。ローカル装置には、サーバが接続され、リモート装置にはコンソールが接続されている。
【先行技術文献】
【特許文献】
【０００４】
【特許文献１】特開２００４−３５６９３９号公報
【発明の開示】
【発明が解決しようとする課題】
【０００５】
ところで、この種の遠隔ユニットでは、サーバとコンソールとの間は、百メートル以内のＬＡＮケーブルで接続されている。これは、サーバとコンソールとの間の距離が百メートル以上になると、サーバとコンソールとの間で伝送される信号及び当該信号に対する応答信号が減衰し、これらの信号を適切に伝送できないからである。
【０００６】
本発明の目的は、従来よりも信号及び当該信号に対する応答信号を長距離伝送することができる遠隔ユニットを提供することにある。
【課題を解決するための手段】
【０００７】
上記目的を達成するため、本発明は、情報処理装置とコンソールとの間に接続される遠隔ユニットであって、前記コンソールからの信号を増幅する第１増幅手段を有し、前記第１増幅手段で増幅された信号を前記情報処理装置に出力する第１通信装置と、前記サーバからの前記信号に対する応答信号を前記第１通信装置を介して受信し、当該受信された応答信号を増幅する第２増幅手段を有し、前記第２増幅手段で増幅された応答信号を前記コンソールに出力する第２通信装置とを備えることを特徴とする。
【０００８】
かかる構成によれば、第１増幅手段で信号が増幅され、第２増幅手段で当該信号に対する応答信号が増幅されるので、従来よりも信号及び当該信号に対する応答信号を長距離伝送することができる。
【０００９】
好ましくは、前記第２通信装置は、前記コンソールからの信号の立ち上がり及び立ち下がりの速度を遅くするフィルター回路をさらに備えることを特徴とする。
【００１０】
かかる構成によれば、コンソールからの信号が第１通信装置から受信した他の信号に干渉しなくなり、第１通信装置から受信した他の信号にノイズが乗ることが回避される。
【発明の効果】
【００１１】
本発明によれば、従来よりも信号及び当該信号に対する応答信号を長距離伝送することができる。
【図面の簡単な説明】
【００１２】
【図１】本発明の実施の形態に係る遠隔ユニットを含むシステムの構成図である。
【図２】遠隔ユニットの概略構成を示すブロック図である。
【図３】ＲＳ４８５トランシーバ１０２、エコーキャンセル回路１０３及びイコライザー１０４の回路図である。
【図４】ＲＳ４８５トランシーバ２０２、エコーキャンセル回路２０３、イコライザー２０４及びフィルタ回路２０５の回路図である。
【発明を実施するための形態】
【００１３】
以下、図面を参照しながら本発明の実施の形態を説明する。
【００１４】
図１は、本発明の実施の形態に係る遠隔ユニットを含むシステムの構成図である。
【００１５】
同図において、システム１０は、遠隔ユニットを構成するローカル装置１（第１通信装置）及びリモート装置２（第２通信装置）、サーバ４、マウス５、キーボード６、モニタ７及びプリンタ８を含む。ローカル装置１とリモート装置２との間は、Cat5（Category 5）ケーブル、即ち、ＬＡＮケーブル３で接続されている。ＬＡＮケーブル３の長さは、３００メートルである。サーバ４は、ローカル装置１に接続され、マウス５、キーボード６、モニタ７及びプリンタ８はリモート装置２に接続されている。尚、マウス５、キーボード６、モニタ７及びプリンタ８は、コンソールとして機能する。
【００１６】
ローカル装置１は、サーバ４から映像信号（ＲＧＢ信号）とコンソールからのＵＳＢデバイス信号に対する応答信号とを受信し、ＬＡＮケーブル３を介してリモート装置２に送信する。また、ローカル装置１は、リモート装置２に入力された、マウス５及びキーボード６のＵＳＢデバイス信号をＬＡＮケーブル３を介して受信し、サーバ４に送信する。リモート装置２は、ローカル装置１からＬＡＮケーブル３を介して映像信号と応答信号とを受信し、モニタ７に映像信号を送信すると共にマウス５及びキーボード６のＵＳＢデバイス信号をＬＡＮケーブル３を介してローカル装置１に送信する。これにより、ユーザは、マウス５及びキーボード６からサーバ４を操作することができる。
【００１７】
尚、ローカル装置１にもマウス、キーボード及びモニタ（不図示）を接続することができる。また、マウス５やキーボード６以外のＵＳＢデバイスがリモート装置２に接続されてもよい。
【００１８】
図２は、遠隔ユニットの概略構成を示すブロック図である。図２では、ＵＳＢデバイス信号及びその応答信号に関連する構成を示す。
【００１９】
ローカル装置１は、制御部１０１、ＲＳ４８５トランシーバ１０２、エコーキャンセル回路１０３、イコライザー１０４（第１増幅手段）及びコネクタ１０５を備えている。リモート装置２は、制御部２０１、ＲＳ４８５トランシーバ２０２、エコーキャンセル回路２０３、イコライザー２０４（第２増幅手段）、コネクタ２０５及びフィルター回路２０６を備えている。
【００２０】
制御部１０１，２０１は、ＦＰＧＡ（Field Programmable Gate Array；プログラムにより動作可能なＬＳＩ）で構成され、ＵＳＢデバイス信号の送受信に必要な制御（例えば、ＵＳＢデバイス信号の出力先の切替）を行う。ＲＳ４８５トランシーバ１０２は、リモート装置２から受信したＵＳＢデバイス信号をサーバ４に出力すると共にサーバ４からのＵＳＢデバイス信号に対する応答信号とをリモート装置２へ送信する。ＲＳ４８５トランシーバ２０２は、マウス５又はキーボード６からのＵＳＢデバイス信号をローカル装置１へ送信する。
【００２１】
エコーキャンセル回路１０３は、リモート装置２に送信された応答信号の反射による入力をキャンセルする。エコーキャンセル回路２０３は、ローカル装置１に送信されたＵＳＢデバイス信号の反射による入力をキャンセルする。
【００２２】
イコライザー１０４は、リモート装置２から受信されたＵＳＢデバイス信号を増幅し、ＲＳ４８５トランシーバ１０２を介して制御部１０１へ送信する。イコライザー２０４は、ローカル装置１から受信された応答信号を増幅し、ＲＳ４８５トランシーバ２０２を介して制御部２０１へ送信する。コネクタ１０５はＬＡＮケーブル３をエコーキャンセル回路１０３に接続し、コネクタ２０５はＬＡＮケーブル３をエコーキャンセル回路２０３に接続する。
【００２３】
フィルター回路２０６は、ローカル装置１に送信するＵＳＢデバイス信号がローカル装置１から受信した他の信号（例えば、映像信号）に干渉することを防止するため、ＵＳＢデバイス信号の立ち上がり及び立ち下がりの速度を遅くする、即ち、ＵＳＢデバイス信号の出力波形を滑らかにする。これにより、ＵＳＢデバイス信号の立ち上がり及び立ち下がりが滑らかになり、ローカル装置１から受信した他の信号（例えば、映像信号）にノイズが乗ることが回避される。
【００２４】
図３は、ＲＳ４８５トランシーバ１０２、エコーキャンセル回路１０３及びイコライザー１０４の回路図であり、図４は、ＲＳ４８５トランシーバ２０２、エコーキャンセル回路２０３、イコライザー２０４及びフィルタ回路２０５の回路図である。
【００２５】
図３に示すように、ＲＳ４８５トランシーバ１０２は、ＲＳ４８５用ＩＣ１０２ａ，１０２ｂを備え、ＲＳ４８５用ＩＣ１０２ａは、イコライザー１０４で増幅されたＵＳＢデバイス信号を受信する。ＲＳ４８５用ＩＣ１０２ｂは、サーバ４から受信されたＵＳＢデバイス信号に対する応答信号を差動信号として出力する。また、エコキャンセル回路１０３は、複数のインピーダンスで構成されている。イコライザー１０４は、増幅器１０４ａを有する。リモート装置２からのＵＳＢデバイス信号は、２００ｍＶの振幅の信号であり、増幅器１０４ａに入力される。このＵＳＢデバイス信号は、増幅器１０４ａで＋１．２Ｖ／−１．２Ｖの差動信号に変換される。そして、ＵＳＢデバイス信号は、ＲＳ４８５用ＩＣ１０２ａによって、＋５Ｖ／０Ｖの信号に変換され、制御部１０１にデジタル信号として送信される。
【００２６】
図４に示すように、ＲＳ４８５トランシーバ２０２は、ＲＳ４８５用ＩＣ２０２ａ，２０２ｂを備え、ＲＳ４８５用ＩＣ２０２ａ及びＲＳ４８５用ＩＣ２０２ｂは、マウス５又はキーボード６からのＵＳＢデバイス信号を差動信号として出力する。ＲＳ４８５用ＩＣ２０２ａは、ローカル装置１から受信されたＵＳＢデバイス信号に対する応答信号を入力する。また、エコキャンセル回路２０３は、複数のインピーダンスで構成されている。イコライザー２０４は、増幅器２０４ａを有する。フィルター回路２０６は、信号線に直列に接続されたコイル２０６ａ，ｂ及びキャパシター２０６ｃ，ｄで構成されている。
【００２７】
マウス５又はキーボード６からのＵＳＢデバイス信号の波形は、フィルター回路２０６で滑らかな立ち上がり及び立ち下がりとなる。ローカル装置１からの応答信号は、イコライザー２０４の増幅器２０４ａで増幅され、ＲＳ４８５用ＩＣ２０２ａを介して制御部２０１に送信される。
【００２８】
以上説明したように、本実施の形態によれば、ローカル装置１は、マウス５又はキーボード６のＵＳＢデバイス信号を増幅するイコライザ１０４を有し、イコライザ１０４で増幅されたＵＳＢデバイス信号をサーバ４に出力する。リモート装置２は、サーバ４からの応答信号をローカル装置２を介して受信し、当該受信された応答信号を増幅するイコライザ２０４を有し、イコライザ２０４で増幅された応答信号をコンソールに出力する。よって、従来よりもＵＳＢデバイス信号及びその応答信号を長距離伝送することができる。
【００２９】
尚、本発明は、上述した実施の形態に限定されるものではなく、その要旨を逸脱しない範囲内で種々変形して実施することが可能である。
【符号の説明】
【００３０】
１  ローカル装置
２  リモート装置
４  サーバ
５  マウス
６  キーボード
７  モニタ
８  プリンタ
１０１，２０１  制御部
１０２，２０２  ＲＳ４８５トランシーバ
１０３，２０３  エコーキャンセル回路
１０４，２０４  イコライザー
１０５，２０５  コネクタ
２０６  フィルター回路
【図１】
2010273145.tif 000003
【図２】
2010273145.tif 000004
【図３】
2010273145.tif 000005
【図４】
2010273145.tif 000006